(57)【要約】【課題】対物レンズアクチュエータの周波数特性を向上し、対物レンズを安定して動作させることが可能な対物レンズアクチュエータを提供する。【解決手段】対物レンズアクチュエータ５０は、ベース１と、レンズホルダ２と、レンズホルダ２を片持ち状態で支持するワイヤ９ａ〜９ｆと、を備える。ベース１上には、ワイヤ９ａ〜９ｆを挿通する挿通孔１０ａ、１０ｂを有し、挿通孔１０ａ、１０ｂに第１の減衰材を保持するゲルボックス７が設けられる。レンズホルダ２には、ワイヤ９ａ〜９ｆの一方の端部が固定される中継基板１３ａ、１３ｂが設けられ、中継基板１３ａ、１３ｂはスリット１４を有する。また、レンズホルダ２には、ワイヤ９ａ〜９ｆを挿通し、第２の減衰材を保持する減衰材保持部１５ａ、１５ｂが設けられる。中継基板１３ａ、１３ｂと減衰材保持部１５ａ、１５ｂとは分離されている。【選択図】図１
2009016005.tif 000002
【特許請求の範囲】
【請求項１】
ベースと、
対物レンズを保持し、前記ベースに対して揺動するレンズホルダと、
一方の端部を前記ベースに対して固定状態にある第１の固定部に固定され、他方の端部を前記レンズホルダに設けられる第２の固定部に固定され、前記レンズホルダを片持ち状態で支持する棒状弾性支持部材と、
を備える対物レンズアクチュエータにおいて、
前記ベース上には、前記棒状弾性支持部材を挿通する挿通孔を有して該挿通孔に第１の減衰材を保持する第１の減衰材保持部が設けられ、
前記第２の固定部は、変形して前記棒状弾性支持部材の長手方向と略平行な方向に変位可能に設けられ、
前記レンズホルダには、前記棒状弾性支持部材を挿通し、前記第１の減衰材と異なる第２の減衰材を保持する第２の減衰材保持部が形成され、
前記第２の固定部と前記第２の減衰材保持部とは分離されていることを特徴とする対物レンズアクチュエータ。
【請求項２】
前記第２の減衰材は、前記第１の減衰材よりも高い周波数帯域で減衰効果を発揮する減衰材であることを特徴とする請求項１に記載の対物レンズアクチュエータ。
【請求項３】
前記第１の減衰材は、１次共振を減衰させるのに適する減衰材であって、前記第２の減衰材は、ピッチング共振及びヨーイング共振を減衰させるのに適する減衰材であることを特徴とする請求項２に記載の対物レンズアクチュエータ。
【請求項４】
前記第２の固定部は、少なくとも１つの切り込み部を有する基板であることを特徴とする請求項１から３のいずれかに記載の対物レンズアクチュエータ。
【請求項５】
前記第２の固定部及び前記第２の減衰材保持部は、前記レンズホルダと一体的に形成されることを特徴とする請求項１から４のいずれかに記載の対物レンズアクチュエータ。
【発明の詳細な説明】
【技術分野】
【０００１】
本発明は、光ディスクの情報の再生や光ディスクへの情報の記録を行う光ディスク装置が備える対物レンズアクチュエータに関する。
【背景技術】
【０００２】
コンパクトディスク（以下、ＣＤという。）やデジタル多用途ディスク（以下、ＤＶＤという。）といった光ディスクが普及している。更に、最近では、光ディスクの情報量を更に増やすために光ディスクの高密度化に関する研究が進められ、例えば、高品位のＤＶＤであるＨＤ−ＤＶＤやブルーレイディスク（以下、ＢＤという。）といった高密度化された光ディスクも実用化されてきている。このような光ディスクの情報の再生や光ディスクへの情報の記録は光ディスク装置によって行われる。
【０００３】
ところで、光ディスク装置によって光ディスクの再生や記録を行う場合、光ディスクの面振れ等によらず、光源から出射される光ビームの焦点が常に光ディスクの記録面に合うように調整（フォーカシング調整）する必要がある。また、光源から出射されたレーザ光が光ディスクの記録面に形成するビームスポットが、光ディスクに形成されるトラックに追従するように調整（トラッキング調整）する必要がある。
【０００４】
このようなフォーカシング調整やトラッキング調整を行えるように、光ディスク装置は対物レンズアクチュエータを備えている。対物レンズアクチュエータは、対物レンズを少なくともフォーカス方向とトラッキング方向とに移動可能とする。なお、フォーカス方向とは、対物レンズの光軸方向と平行な方向である。また、トラッキング方向とは、光ディスクの半径方向と平行な方向である。
【０００５】
従来の対物レンズアクチュエータについて、図４及び図５を参照しながら説明する。図４は、従来の対物レンズアクチュエータ１００の構成を示す概略斜視図である。また、図５は、従来の対物レンズアクチュエータ１００の構成を示す分解斜視図である。
【０００６】
１は、ベースであり、強磁性を有する金属からなる。ベース１には、そのほぼ中央に光ビームを通過させる貫通孔１ａが形成されている。そして、この貫通孔１ａの上に、その詳細は後述するレンズホルダ２が配置される。また、ベース１上には、レンズホルダ２を挟むように所定間隔をあけて対向配置される一対の永久磁石３ａ、３ｂが立設されている。
【０００７】
永久磁石３ａ、３ｂは、同一の極（Ｎ極又はＳ極）が向かい合うように配置される。また、永久磁石３ａ、３ｂは、それぞれの外面がベース１から折曲形成されたヨーク１ｂ、１ｃに着磁された状態となっている。
【０００８】
レンズホルダ２には、光ビームが通過できるように光路孔が形成されている。そして、この光路孔の上部側には対物レンズ４を保持する対物レンズ保持部２ａが形成されている。レンズホルダ２の内側の側壁には、レンズホルダ２に保持される対物レンズ４の光軸を取り巻くようにフォーカスコイル５が設けられ、レンズホルダ２に対して接着剤等で固着されている。
【０００９】
また、レンズホルダ２の側壁のうち、永久磁石３ａ、３ｂと対向する両側壁の外側には、それぞれ左右に一対ずつ並ぶようにトラッキングコイル６ａ、６ｂ及びトラッキングコイル６ｃ、６ｄが設けられている。また、トラッキングコイル６ａ及びトラッキングコイル６ｃ、並びに、トラッキングコイル６ｂ及びトラッキングコイル６ｄは、それぞれ対称位置に配置されている。トラッキングコイル６ａ〜６ｄは、レンズホルダ２に対して接着剤等で固着されている。なお、４つのトラッキングコイル６ａ〜６ｄは、全体として１本の線で繋がっている。
【００１０】
ベース１上には、２つの永久磁石３ａ、３ｂうち、一方の永久磁石３ｂが磁着されたヨーク１ｃの外面側に、ポリカーボネート等の樹脂成型品から成るゲルボックス７が固定される。また、ベース１上には、ゲルボックス７の外側に隣接して回路基板８が立設されている。
【００１１】
この回路基板８には、左右両側において、それぞれ上下方向に３箇所ずつ、導電性を有するワイヤ９ａ、９ｂ、９ｃ、９ｄ、９ｅ、９ｆの各一端がハンダ付けにて接続されている。ワイヤ９ａ〜９ｃ及びワイヤ９ｄ〜９ｆは、それぞれゲルボックス７に形成された挿通孔１０ａ、１０ｂを挿通している。
【００１２】
ワイヤ９ａ〜９ｃの他端は、レンズホルダ２の側壁に設けられる中継基板１１ａに半田付けにて固着されている。また、ワイヤ９ｄ〜９ｆの他端は、レンズホルダ２の側壁に設けられる中継基板１１ｂにハンダ付けにて固着されている。そして、これにより、レンズホルダ２は、ワイヤ９ａ〜９ｆによってベース１に対して揺動可能に支持された状態となっている。
【００１３】
なお、中継基板１１ａ、１１ｂには、配線パターンが形成されており、ワイヤ９ａ及びワイヤ９ｄは、中継基板１１ａ、１１ｂを介してフォーカスコイル５と電気的に接続された状態となっている。また、ワイヤ９ｃ及びワイヤ９ｆは、中継基板１１ａ、１１ｂを介してトラッキングコイル６ａ〜６ｄと電気的に接続された状態となっている。
【００１４】
また、ゲルボックス７の各挿通孔１０ａ、１０ｂ内には、シリコンを主成分とするゲル材が充填されている。ここでゲル材は、低粘度のゲル材（ゾル）がゲルボックス７の各挿通孔１０ａ、１０ｂに注入された後、所定時間の紫外線照射によってゲル状に硬化したものである。
【００１５】
このように構成される対物レンズアクチュエータ１００の作用について簡単に説明しておく。回路基板８からワイヤ９ａ、９ｄを通じてフォーカスコイル５に電流が供給されると、永久磁石３ａ、３ｂによって形成される磁界との電磁気的な作用により、レンズホルダ２はフォーカス方向に変位可能となる。このため、フォーカスコイル５に供給する電流の大きさ及び向きを調整することでフォーカシング調整が可能となる。
【００１６】
また、回路基板８からワイヤ９ｃ、９ｆを通じてトラッキングコイル６ａ〜６ｄに電流が供給されると、永久磁石３ａ、３ｂによって形成される磁界との電磁気的な作用により、レンズホルダ２は、トラッキング方向に変位可能となる。このため、トラッキングコイル６ａ〜６ｄに供給する電流の大きさ及び向きを調整することでトラッキング調整が可能となる。
【００１７】
従来の対物レンズアクチュエータ１００は以上のように構成されるが、次に、このようなワイヤ支持方式の対物レンズアクチュエータの周波数特性について説明する。図６は、対物レンズアクチュエータの周波数特性について説明するための説明図である。図６に示すように、対物レンズアクチュエータは１次共振周波数ｆ0で応答変位が非常に大きくなる。しかし、このオーバシュート量が大きすぎると不都合が生じる。このため、従来の対物レンズアクチュエータ１００においては、ゲルボックス７にゲル材（減衰材）を充填して、このオーバシュート量を低減（１次共振を抑制）している。
【００１８】
また、１次共振周波数ｆ0より高い周波数（例えば、１ｋＨｚ〜５ｋＨｚ程度の間）において、図６に示すように応答変位が乱れる部分がある。これは、ワイヤの長手方向への振動が原因となって、ピッチング共振及びヨーイング共振（図６においては、まとめてワイヤ共振と表現している）を発生することによる。なお、ピッチング共振とは、トラッキング方向と平行な軸周り方向に発生する共振モードである。また、ヨーイング共振とは、フォーカス方向と平行な軸周り方向に発生する共振モードである。
【００１９】
このため、従来の対物レンズアクチュエータ１００においては、ゲルボックス７に充填するゲル材について、１次共振の抑制と、高周波数領域で起こるピッチング共振及びヨーイング共振の抑制と、の両方を実現できるように選択する必要があった。しかし、必ずしも適当なゲル材がなく、対物レンズアクチュエータの周波数特性について問題を生じていた。
【００２０】
この点、特許文献１には、基板（上述の回路基板８が相当）とサスペンションホルダ（上述のゲルボックス７が相当）の間に隙間を設け、この隙間に第１のシリコン系ダンピング材を配置し、サスペンションホルダの内部にサスペンション（上述のワイヤが相当）を被うように第２のシリコン系ダンピング材が注入された光ピックアップの対物レンズ駆動ユニットが提案されている。そして、第１のシリコン系ダンピング材と第２のシリコン系ダンピング材とは互いに硬度が異なる材料（硬度；第１のシリコン系ダンピング材＞第２のシリコン系ダンピング材）で、前者は５００〜５ｋＨｚ程度の比較的高い周波数帯域で、後者は数１０〜５００Ｈｚ程度の比較的低い周波数帯域で最もダンピング効果を持つ。このため、特許文献１の対物レンズ駆動ユニットにおいては、上述の１次共振と、高周波数領域で起こるピッチング共振及びヨーイング共振と、を抑制することが可能となる。
【００２１】
また、特許文献２には、比較的高い周波数帯域で発生するピッチング共振、ヨーイング共振をダンピングする技術が示されている。これによると、サスペンションホルダに支持アームを一体に成形し、支持アームの剛性が小さくなるようにしてサスペンション部材の伸縮挙動を吸収し、ダンピング効果を得るようにしている。
【００２２】
また、特許文献３にも、１次共振、ピッチング共振及びヨーイング共振を抑制できる対物レンズ駆動装置の支持構造が提案されている。これによれば、可動部（上述のレンズホルダ２が相当）に基板取付部が形成され、基板取付部の取付面に基板が面接合され、この基板には配線パターンとランド部が形成され、ランド部の中央部にはワイヤバネが挿入される中心穴が形成されている。また、基板取付部には、取付面とこれに対向する対向面との間を貫通して前述の中心穴と略同じ中心線上に位置する挿通穴が形成され、挿通穴にはワイヤバネが挿通されている。挿通穴は、その内径寸法がランド部の外形寸法より大きく形成され、挿通穴内には粘弾性材が充填され、この粘弾性材が基板に当接されている。
【００２３】
そして、この構成によれば、粘弾性材がワイヤバネに生じた撓みを吸収することにより、可動部の１次共振を抑制できるとしている。また、ワイヤバネが軸方向（長手方向）へ振動した時に基板におけるランド部及びその周囲の部分がワイヤバネと共に振動し、ワイヤバネの軸方向の剛性が小さくなり、ピッチング共振、ヨーイング共振を抑制できるとしている。更に、ワイヤバネと共に基板がワイヤバネの軸方向へ振動した時に、粘弾性材より基板の振動が吸収され、ワイヤバネの軸方向への振動が原因となってピッチング共振やヨーイング共振が発生しても、そのピーク値が小さくなり、安定したフォーカシング制御及びトラッキング制御を行えるとしている。
【特許文献１】特開２００２−３６７２０２号公報
【特許文献２】特開２００５−６３４９６号公報
【特許文献３】特開２０００−３１５３２９号公報
【発明の開示】
【発明が解決しようとする課題】
【００２４】
しかしながら、特許文献１の対物レンズ駆動ユニットの場合、高周波数帯域で問題となるピッチング共振やヨーイング共振を、減衰材のみを用いて抑制する構成であり、ピッチング共振及びヨーイング共振を十分に抑制することができない。これは、ワイヤ（棒状弾性支持部材）の長手方向の振動が原因となって発生するピッチング共振やヨーイング共振を抑制しようとする場合には、特許文献２に示されるように、機械的にワイヤの伸縮挙動を吸収する構成が存在するのが好ましいことによる。
【００２５】
一方、特許文献２に示される構成の場合には、ピッチング共振やヨーイング共振が発生するレンズホルダから離れた位置（サスペンションホルダ側）にワイヤの長手方向の振動を抑制する構成要素が設けられるために、レンズホルダへの振動の伝達を十分低下させることができない場合が起こり得る。
【００２６】
この点、特許文献３の構成の場合には、可動部側にワイヤの長手方向の振動を抑制する構成要素を配置する構成であるために、レンズホルダへの振動の伝達を低下させやすい。しかしながら、特許文献３に示される構成の場合、基板取付部と面接合される基板に設けられるランド部及びその周囲の部分がワイヤバネとともに振動することを利用して、ワイヤバネの軸方向の剛性を低下させて、ピッチング共振及びヨーイング共振を抑制する構成となっている。この場合、ランド部及びその周囲の部分を十分に変位させるのは困難であり、ワイヤバネの軸方向の剛性の低下を満足に得られない場合もあり得る。
【００２７】
以上の点に鑑み、本発明の目的は、対物レンズアクチュエータの周波数特性を向上し、対物レンズを安定して動作させることが可能な対物レンズアクチュエータを提供することである。
【課題を解決するための手段】
【００２８】
上記目的を達成するために本発明は、ベースと、対物レンズを保持し、前記ベースに対して揺動するレンズホルダと、一方の端部を前記ベースに対して固定状態にある第１の固定部に固定され、他方の端部を前記レンズホルダに設けられる第２の固定部に固定され、前記レンズホルダを片持ち状態で支持する棒状弾性支持部材と、を備える対物レンズアクチュエータにおいて、前記ベース上には、前記棒状弾性支持部材を挿通する挿通孔を有して該挿通孔に第１の減衰材を保持する第１の減衰材保持部が設けられ、前記第２の固定部は、変形して前記棒状弾性支持部材の長手方向と略平行な方向に変位可能に設けられ、前記レンズホルダには、前記棒状弾性支持部材を挿通し、前記第１の減衰材と異なる第２の減衰材を保持する第２の減衰材保持部が形成され、前記第２の固定部と前記第２の減衰材保持部とは分離されていることを特徴としている。
【００２９】
この構成によれば、異なる減衰材を有する２つの減衰材保持部が別々に設けられるために、減衰材の選択の幅が増えて、複数種類の共振の抑制を行い易い。また、レンズホルダには、棒状弾性支持部材の一方の端部を固定し、且つ棒状弾性支持部材の長手方向と略平行な方向に変位可能な固定部が形成されているために、棒状弾性支持部材の長手方向の振動を抑制しやすい。また、レンズホルダ側にも共振を抑制する構成を設ける構成であるために、レンズホルダへの振動の伝達を低減しやすい。
【００３０】
また、本発明は、上記構成の対物レンズアクチュエータにおいて、前記第２の減衰材は、前記第１の減衰材よりも高い周波数帯域で減衰効果を発揮する減衰材であることとしても良く、更には、前記第１の減衰材は、１次共振を減衰させるのに適する減衰材であって、前記第２の減衰材は、ピッチング共振及びヨーイング共振を減衰させるのに適する減衰材であることとしても良い。この構成によれば、従来、対物レンズアクチュエータにおいて問題となっている、１次共振と、１次共振よりも高周波数側で発生するピッチング共振及びヨーイング共振と、を適切に抑制できる。
【００３１】
また、本発明は、上記構成の対物レンズアクチュエータにおいて、前記第２の固定部は、少なくとも１つの切り込み部を有する基板であることとしても良い。これにより、棒状弾性支持部材と、レンズホルダを駆動するために設けられるコイルと、を電気的に接続する役割（中継基板としての機能）を有し、変形して棒状弾性支持部材の長手方向と略平行な方向に変位可能な第２の固定部を容易に得ることができる。
【００３２】
また、本発明は、上記構成の対物レンズアクチュエータにおいて、前記第２の固定部及び前記第２の減衰材保持部は、前記レンズホルダと一体的に形成されることとしても良い。この構成によれば、対物レンズアクチュエータを組立てる際の作業負担を低減可能である。
【発明の効果】
【００３３】
本発明によれば、対物レンズアクチュエータの周波数特性を向上し、対物レンズを安定して動作させることが可能な対物レンズアクチュエータを提供できる。
【発明を実施するための最良の形態】
【００３４】
以下、本発明の対物レンズアクチュエータの実施形態について、図面を参照しながら詳細に説明する。
【００３５】
図１は、本実施形態の対物レンズアクチュエータの構成を示す概略斜視図である。図２は、本実施形態の対物レンズアクチュエータの構成を示す概略側面図である。なお、図２では、一部において、側面から見た場合に本来見えない部分を見えるように描いている。以下、この図１及び図２を参照しながら本実施形態の対物レンズアクチュエータ５０について説明する。
【００３６】
なお、本実施形態の対物レンズアクチュエータ５０は、一部の構成を除いて図４及び図５に示した従来の対物レンズアクチュエータ１００と同様の構成を有する。このために、従来の対物レンズアクチュエータ１００と同様の構成の部分については、同一の符号を付している。そして、従来と重複する部分については、特に必要がない場合は、その説明は省略する。
【００３７】
本実施形態の対物レンズアクチュエータ５０は、それに発生する共振を抑制する構成において、従来の対物レンズアクチュエータ１００と異なる。すなわち、本実施形態の対物レンズアクチュエータ５０においては、レンズホルダ２側にも、対物レンズアクチュエータに発生する共振を抑制する構成が設けられており、この点について、従来の対物レンズアクチュエータ１００と異なる。
【００３８】
レンズホルダ２に設けられる中継基板１３ａ、１３ｂには、従来の対物レンズアクチュエータ１００の中継基板１１ａ、１１ｂの場合と同様に、それぞれワイヤ９ａ〜９ｃ、ワイヤ９ｄ〜９ｆの一方の端部が半田付けにて固着されている。なお、図１及び図２ではワイヤ９ｄ〜９ｆについて示されていないが、図５に示す構成と同様である。
【００３９】
また、中継基板１３ａ、１３ｂには、配線パターン（図示せず）が形成されている。そして、これにより、回路基板８とレンズホルダ２に設けるコイル（フォーカスコイル５（図５参照）及びトラッキングコイル６ａ〜６ｄ）とが電気的に接続されている。この点についても、従来の対物レンズアクチュエータ１００の場合と同様である。
【００４０】
また、中継基板１３ａ、１３ｂには、ワイヤ９ａ〜９ｆが固着される位置に挟まれる部分に、図１に示すようなスリット（切り込み部）１４が設けられている。本実施形態においては、中継基板１３ａ、１３ｂのそれぞれに固着されるワイヤの本数は３本ずつであり、スリット１４の数は、各中継基板１３ａ、１３ｂに対して２つずつとなっている。このように中継基板１３ａ、１３ｂにスリット１４か設けられる点は、従来の対物レンズアクチュエータ１００が備える中継基板１１ａ〜１１ｂとは異なる。
【００４１】
ピッチング共振やヨーイング共振が生じた場合、ワイヤ９ａ〜９ｆはその長手方向（図２に矢印Ａで示す方向）に伸縮する。この点、本実施形態の中継基板１３ａ、１３ｂはスリット１４を有しており、ワイヤ９ａ〜９ｄの長手方向と略平行な方向に容易に変位できるようになっている。このために、各ワイヤ９ａ〜９ｆにおいて長手方向の伸縮が生じた場合においても、中継基板１３ａ、１３ｂが変位（変形）することによって、ワイヤ９ａ〜９ｆの伸縮の影響を積極的に緩和することができる。従って、レンズホルダ２に生じるピッチング共振やヨーイング共振を抑制することが可能となる。
【００４２】
中継基板１３ａ、１３ｂは、例えば液晶ポリマ（ＬＣＰ）等によって形成されるレンズホルダ２と一体的に成形される。ただし、この構成に限定される趣旨ではなく、中継基板１３ａ、１３ｂとレンズホルダ２とを別の部材としても構わない。両者を別部材とする場合には、例えば、中継基板１３ａ、１３ｂをガラエポ（ガラス繊維を有するエポキシ樹脂）で形成し、ＬＣＰ等で形成されるレンズホルダ２に中継基板１３ａ、１３ｂを取り付けるための嵌め込み部を設けて、この部分に中継基板１３ａ、１３ｂを取り付ける構成等とすれば良い。
【００４３】
なお、中継基板１３ａ、１３ｂは、変形し易いように、且つワイヤ９ａ〜９ｆの半田付け作業時に半田付けが行い難くならないように、その厚みを管理する必要がある。すなわち、中継基板１３ａ、１３ｂは、その厚みが厚く成りすぎず、一方で薄く成り過ぎないように注意する必要がある。本実施形態においては、その厚さを例えば０．２ｍｍとしている。
【００４４】
レンズホルダ２には、中継基板１３ａ、１３ｂの横に減衰材保持部１５ａ、１５ｂが設けられている。減衰材保持部１５ａ、１５ｂは、それぞれ、レンズホルダ２から突出する略コの字状の部分と、レンズホルダ２のトラッキングコイル６ａ〜６ｄが固着されない側壁と、から成る。そして、コの字状の部分とレンズホルダ２の側壁との間に形成される空洞部１６ａ、１６ｂによって、減衰材の保持とともにワイヤ９ａ〜９ｆの挿通が可能となっている。
【００４５】
なお、レンズホルダ２から突出する略コの字状の部分については、本実施形態ではレンズホルダ２と一体的に形成している。ただし、レンズホルダ２とは別部材とし、略コの字状の部材をレンズホルダ２に接着する構成等としても良い。また、減衰材保持部１５ａ、１５ｂは、減衰材の保持及びワイヤ９ａ〜９ｆの挿通が可能な構成であれば良く、本実施形態の構成に限定されるものではない。
【００４６】
減衰材保持部１５ａ、１５ｂには、ゲルボックス７の挿通孔１０ａ、１０ｂに充填される第１の減衰材１７とは異なる種類の第２の減衰材１８が充填されている。本実施形態においては、第１の減衰材１７は１次共振の抑制が可能となるように物性を合わせ込んだ減衰材とされ、第２の減衰材１８は１次共振より高周波数で起こるピッチング共振及びヨーイング共振の抑制が可能となるように物性を合わせ込んだ減衰材とされている。例えば、第１の減衰材１７も第２の減衰材１８もシリコン系の減衰材から成るが、第１の減衰材１７に比べ第２の減衰材１８の方が硬質のものとされる。
【００４７】
なお、減衰材保持部１５ａ、１５ｂと中継基板１３ａ、１３ｂとの間には隙間が設けられており、両者は分離された状態となっている。これにより、中継基板１３ａ、１３ｂの変形が減衰材保持部１５ａ、１５ｂによって邪魔されることがない。
【００４８】
以上のように、本実施形態の対物レンズアクチュエータ５０においては、１次共振を抑制する構成と、１次共振よりも高周波数側で発生するピッチング共振及びヨーイング共振を抑制する構成と、の両方を有する。このために、１次共振、ピッチング共振及びヨーイング共振を適切に抑制できる。また、ワイヤ９ａ〜９ｆの長手方向の振動が原因となって生じるピッチング共振及びヨーイング共振を抑制する構成をレンズホルダ２側に設けているために、レンズホルダ２への振動の伝達を低下させやすく、ピッチング共振及びヨーイング共振を効果的に抑制できる。
【００４９】
本発明は、以上に示した実施形態に限定されるものではなく、本発明の目的を逸脱しない範囲で種々の変更が可能である。
【００５０】
例えば、中継基板１３ａ、１３ｂの構成について、本実施形態の構成に限定される趣旨ではない。すなわち、本実施形態では、中継基板１３ａ、１３ｂは、図１に示すように、その長手方向（図２の上下方向が該当）の側面全体がレンズホルダ２の側壁とくっついた状態となっている。しかし、図３に示すように、中継基板１３ａ、１３ｂの長手方向の中央部近傍ＣＫだけが、レンズホルダ２の側壁とくっついた状態となるように構成する等しても構わない。このように構成した場合には、中継基板１３ａ、１３ｂが更に変形し易くなり、対物レンズアクチュエータ５０に発生する共振の抑制を行い易くなる。
【００５１】
なお、図３は、本実施形態の対物レンズアクチュエータ５０が備える中継基板の変形例を示す図である。
【００５２】
また、中継基板１３ａ、１３ｂにスリット１４を設けないで、中継基板１３ａ、１３ｂの厚みを薄くすることで、ワイヤ９ａ〜９ｄの長手方向と略平行な方向に変位可能とすることも可能である。この場合には、中継基板１３ａ、１３ｂをあまり薄くしすぎると、ワイヤの半田付け作業が行い難くなるので、その点の注意も要する。ただし、本実施形態のように中継基板にスリットを設ける構成の方が、各ワイヤの伸縮に合わせて中継基板１３ａ、１３ｂがワイヤの長手方向と略平行な方向に変位しやすいために好ましい。この意味で、中継基板１３ａ、１３ｂを各ワイヤについて独立に設ける構成とすることも可能である。
【００５３】
本実施形態では、レンズホルダ２を片側３本ずつの計６本のワイヤで支持する構成としたが、この数に限定される趣旨ではない。すなわち、片側２本ずつの計４本のワイヤでレンズホルダ２を支持する構成等しても良いし、更にワイヤの数を増やしても構わない。
【００５４】
また、本実施形態のようにレンズホルダ２を支持するワイヤの数が、片側３本とされる場合には、真ん中のワイヤについては第２の減衰材１８を挿通しない構成としても構わない。例えば、減衰材保持部１５ａ、１５ｂに仕切りを設けて、３本のワイヤがそれぞれ異なる部屋を挿通するように構成し、上下の２本のワイヤが挿通される部屋には第２の減衰材１８を充填し、真ん中のワイヤが挿通される部屋には第２の減衰材１８を充填しないように構成すれば、真ん中のワイヤについては第２の減衰材１８を挿通しない構成を実現できる。
【００５５】
その他、本発明は、レンズホルダをワイヤによって片持ち状態で支持する構成の対物レンズアクチュエータに広く適用可能であり、対物レンズアクチュエータが保持する対物レンズの数や、レンズホルダに取り付けられるコイルの数等、本実施形態の構成に限定されるものではない。
【産業上の利用可能性】
【００５６】
本発明によれば、対物レンズアクチュエータの周波数特性を向上することができ、対物レンズを安定して動作させることができる。このため、本発明の対物レンズアクチュエータを用いれば、光ディスク装置における再生や記録の品質を向上でき、本発明は有用である。
【図面の簡単な説明】
【００５７】
【図１】は、本実施形態の対物レンズアクチュエータの構成を示す概略斜視図である。
【図２】は、本実施形態の対物レンズアクチュエータの構成を示す概略側面図である。
【図３】は、本実施形態の対物レンズアクチュエータが備える中継基板の変形例を示す図である。
【図４】は、従来の対物レンズアクチュエータの構成を示す概略斜視図である。
【図５】は、従来の対物レンズアクチュエータの構成を示す分解斜視図である。
【図６】は、対物レンズアクチュエータの周波数特性について説明するための説明図である。
【符号の説明】
【００５８】
１              ベース
２              レンズホルダ
４              対物レンズ
７              ゲルボックス（第１の減衰材保持部）
８              回路基板（第１の固定部）
９ａ〜９ｆ      ワイヤ（棒状弾性支持部材）
１０ａ、１０ｂ  挿通孔
１３ａ、１３ｂ  中継基板（第２の固定部）
１４            スリット（切り込み部）
１５ａ、１５ｂ  減衰材保持部（第２の減衰材保持部）
１７            第１の減衰材
１８            第２の減衰材
５０            対物レンズアクチュエータ
【図１】
2009016005.tif 000003
【図２】
2009016005.tif 000004
【図３】
2009016005.tif 000005
【図４】
2009016005.tif 000006
【図５】
2009016005.tif 000007
【図６】
2009016005.tif 000008